(57)【要約】【課題】広い有効表示領域を確保できるプラズマディスプレイパネルを提供すること。【解決手段】プラズマディスプレイパネル１００は、前面基板３００の内面側に行方向に延び平行に配列された走査電極３２１と共通電極３２２とからなる複数のバス電極対３２０を備えている。共通電極３２２の行方向の左側端部には、列方向に沿って平行に設けられた接続電極３３０がそれぞれ接続されている。そして、接続電極３３０の列方向上側端部は、背面基板２００上において接続電極３３０と略並行に形成された共通電極引出部２６０と接続されている。このため、複数の共通電極３２２の行方向左側端部を前面基板３００の行方向の左側端部近傍までそれぞれ延長することができるので、前面基板３００の行方向の左側端部近傍まで放電空間１０１を広げることができる。したがって、プラズマディスプレイパネル１００は広い有効表示領域を確保できる。【選択図】 図４
2006164744.tif 000002
【特許請求の範囲】
【請求項１】
放電空間を挟んで対向配置された一対の基板のうちの一方の基板の内面側に行方向に延び互いに略平行に配列された走査電極と共通電極とを有する行電極対を複数備えたプラズマディスプレイパネルであって、
前記走査電極における前記行方向のうちの一方向側のそれぞれに接続され、前記一方の基板上の前記行方向における前記一方向端部側かつ前記放電空間よりも外側に配設された複数の走査電極引出部と、
前記共通電極における前記行方向のうちの他方向側のそれぞれに接続され、前記一方の基板上の前記行方向における前記他方向端部側かつ前記放電空間の内部側において前記行方向と交差する列方向に延びて設けられた接続電極と、
前記接続電極における前記列方向のうちの一方向側に接続され、前記列方向のうちの前記一方向側かつ前記放電空間よりも外側に設けられた共通電極引出部と、
を具備したことを特徴としたプラズマディスプレイパネル。
【請求項２】
請求項１に記載のプラズマディスプレイパネルであって、
前記一対の基板のうちの他方の基板の内面側に前記列方向に延び互いに略平行に複数配列された列電極と、
前記列電極のそれぞれの端部に接続され、前記他方の基板上の前記列方向における端部側かつ前記放電空間よりも外側に配設された複数の列電極引出部と、を具備し、
前記共通電極引出部は、前記他方の基板上の前記列方向における端部側に前記列電極引出部と並列して設けられ、
前記接続電極と前記共通電極引出部とは導電性の接続部を介して接続された
ことを特徴としたプラズマディスプレイパネル。
【請求項３】
請求項１または請求項２に記載のプラズマディスプレイパネルであって、
前記走査電極および前記共通電極は、透明電極部とこの透明電極部に積層された金属層のバス電極部とをそれぞれ備え、
前記走査電極を構成する前記バス電極部が、前記走査電極引出部とそれぞれ接続され、
前記共通電極を構成する前記バス電極部が、前記接続電極とそれぞれ接続された
ことを特徴としたプラズマディスプレイパネル。
【請求項４】
請求項１ないし請求項３のいずれかに記載のプラズマディスプレイパネルであって、
前記接続電極は、前記一方の基板の前記共通電極引出部と対応する側の端面部まで延び、
前記接続部は、前記放電空間外における前記他方の基板の内面側および前記一方の基板の前記端面部に当接して設けられ、前記接続電極と前記共通電極引出部とを接続する
ことを特徴としたプラズマディスプレイパネル。
【請求項５】
請求項１ないし請求項４のいずれかに記載のプラズマディスプレイパネルであって、
前記共通電極引出部は、前記放電空間内まで延長する延長部を有し、
前記接続部は、前記放電空間内における前記一方の基板の内面側および前記他方の基板の内面側に当接して設けられ、前記接続電極と前記延長部とを接続する
ことを特徴としたプラズマディスプレイパネル。
【請求項６】
請求項１ないし請求項５のいずれかに記載のプラズマディスプレイパネルであって、
前記走査電極引出部は、導線を介して走査電極駆動部に接続され、
前記共通電極引出部は、導線を介して共通電極駆動部に接続され、
前記列電極引出部は、導線を介して列電極駆動部に接続される
ことを特徴としたプラズマディスプレイパネル。
【請求項７】
請求項１ないし請求項６のいずれかに記載のプラズマディスプレイパネルを前記接続電極同士を近接させた状態で複数並べて形成した
ことを特徴とした表示装置。
【発明の詳細な説明】
【技術分野】
【０００１】
本発明は、プラズマディスプレイパネル、および、表示装置に関する。
【背景技術】
【０００２】
従来、表示側の前面基板と背面側の背面基板とを放電空間を挟んで対向配置し、前面基板の内面側に行方向に延び平行に配列された走査電極と共通電極とからなる複数の行電極対が設けられたプラズマディスプレイパネル（ＰＤＰ）が知られている（例えば、特許文献１参照）。
【０００３】
図１は、特許文献１に記載のプラズマディスプレイパネルの電極構造を模式的に示したものである。図１において、プラズマディスプレイパネル１は、表示領域となる放電空間内において、前面基板１０の内面側に行方向に延び平行に配列された複数のバス電極対１１を備えている。これら複数のバス電極対１１のそれぞれは、互いに対向する共通電極１１Ｘと、走査電極１１Ｙと、を一対ずつ備えている。共通電極１１Ｘは、それぞれの電極が行方向のうちの一方向側に延長し、放電空間の外側における前面基板１０の一端側に形成された共通電極引出部１１Ｘ１を備えている。そして、これら共通電極引出部１１Ｘ１は、幅広の略帯状の集合電極端子部１１Ｘ２に接続されている。走査電極１１Ｙは、それぞれの電極が行方向のうちの他方向側に延長し、放電空間の外側における前面基板１０の他端側に形成された走査電極引出部１１Ｙ１を備えている。背面基板２０には、その内面側に前面基板１０のバス電極対１１と直交する列方向に沿って複数のアドレス電極２１が形成されている。アドレス電極２１は、それぞれの電極が列方向のうちの一方向側に延長し、放電空間の外側における背面基板２０の一端側に形成されたアドレス電極引出部２２を備えている。
【０００４】
そして、共通電極引出部１１Ｘ１および集合電極端子部１１Ｘ２と、走査電極引出部１１Ｙ１と、はそれぞれ前面基板１０の行方向における両端側に個別に分かれて設けられているため、隣合う共通電極引出部１１Ｘ１同士の間隔および隣合う走査電極引出部１１Ｙ１同士の間隔を十分に広く確保できる。このため、隣合う共通電極引出部１１Ｘ１間、もしくは隣合う走査電極引出部１１Ｙ１間でのショートを防ぐことができる構成となっている。このような構成のプラズマディスプレイパネル１では、走査電極引出部１１Ｙ１およびアドレス電極引出部２２を介して走査電極１１Ｙおよびアドレス電極２１のそれぞれに個別に電圧パルスを印加する。また、集合電極端子部１１Ｘ２および共通電極引出部１１Ｘ１を介して共通電極１１Ｘの全ラインに共通の電圧パルスを印加することにより画像表示を実施する。
【０００５】
ここで、上記したような構成のプラズマディスプレイパネル１を複数個縦横に並列することにより１つのマルチパネル型画像表示装置を構築する構成が知られている（例えば、特許文献２参照）。図２は、特許文献２に記載のマルチパネル型画像表示装置を示した斜視図である。図２において、画像表示装置は、９個の矩形状のプラズマディスプレイパネル１が縦３個横３個ずつ並列されることにより構成されている。この画像表示装置において、プラズマディスプレイパネル１のそれぞれに放電空間としての有効表示領域３０と、非表示領域３１と、が形成されている。非表示領域３１は、前面基板１０における共通電極引出部および走査電極引出部と、背面基板２０におけるアドレス電極引出部と、などが配設された、プラズマディスプレイパネル１の外周部に形成された領域である。そして、この非表示領域３１が組み合わされることにより、画像表示装置全体では所定の幅Ｌ１およびＬ２を有した略井桁状の目地３２が形成される。
【０００６】
【特許文献１】特開２００４−２５３２３１号公報（第３頁−第４頁、図２参照）
【特許文献２】特開２０００−１３２１１９号公報（第４頁、図４参照）
【発明の開示】
【発明が解決しようとする課題】
【０００７】
しかしながら、特許文献１に記載の構成では、隣合う共通電極引出部１１Ｘ１間もしくは隣合う走査電極引出部１１Ｙ１間でのショートを防ぐために、共通電極引出部１１Ｘ１および幅広の集合電極端子部１１Ｘ２と、走査電極引出部１１Ｙ１と、はそれぞれ前面基板１０の行方向における両端側に個別に分かれて設けられている。このため、前面基板１０のうち有効表示領域となる放電空間が形成される領域が狭小となってしまうおそれがある、という問題が一例として挙げられる。
【０００８】
また、特許文献２に記載の構成において、マルチパネル型画像表示装置において目地３２の幅Ｌ１,Ｌ２が大きいと、画像表示の際に略井桁状の目地３２のために画像が見難くなり、視聴者に不快感を与えてしまうおそれがある、という問題が一例として挙げられる。
【０００９】
本発明は、上述したような問題点に鑑みて、広い有効表示領域を確保できるプラズマディスプレイパネル、および、表示装置を提供することを１つの目的とする。
【課題を解決するための手段】
【００１０】
請求項１に記載の発明は、放電空間を挟んで対向配置された一対の基板のうちの一方の基板の内面側に行方向に延び互いに略平行に配列された走査電極と共通電極とを有する行電極対を複数備えたプラズマディスプレイパネルであって、前記走査電極における前記行方向のうちの一方向側のそれぞれに接続され、前記一方の基板上の前記行方向における前記一方向端部側かつ前記放電空間よりも外側に配設された複数の走査電極引出部と、前記共通電極における前記行方向のうちの他方向側のそれぞれに接続され、前記一方の基板上の前記行方向における前記他方向端部側かつ前記放電空間の内部側において前記行方向と交差する列方向に延びて設けられた接続電極と、前記接続電極における前記列方向のうちの一方向側に接続され、前記列方向のうちの前記一方向側かつ前記発光領域よりも外側に設けられた共通電極引出部と、を具備したことを特徴としたプラズマディスプレイパネルである。
【００１１】
請求項７に記載の発明は、請求項１ないし請求項６のいずれかに記載のプラズマディスプレイパネルを前記接続電極同士を近接させた状態で複数並べて形成したことを特徴とした表示装置である。
【発明を実施するための最良の形態】
【００１２】
以下、本発明の一実施の形態を図面に基づいて説明する。
【００１３】
〔第１の実施の形態〕
（第１の実施の形態の構成）
以下、本発明の第１の実施の形態について図３ないし図７に基づいて説明する。図３は、本実施の形態に係るプラズマディスプレイパネルを示した分解斜視図である。図４は、プラズマディスプレイパネルを示した立面図である。図５は、背面基板を示した立面図である。図６は、前面基板を示した立面図である。図７は、接続部を示した断面図である。なお、各種電極の寸法は説明および作図の都合上基板に対して相対的に大きく、かつ各種電極の数は実際よりも大幅に省略して表示してある。そして、隔壁により形成される放電セルの寸法も説明および作図の都合上基板に対して相対的に大きく、かつその数は実際よりも大幅に省略して表示してある。また、図４および図６において、前面基板を外面側から見て、前面基板の内面側に形成された各種基板を実線で表示し、また、前面基板におけるその他の構成は適宜図示省略した。
【００１４】
第１の実施の形態において、図３および図４に示すように、１００はプラズマディスプレイパネルであり、このプラズマディスプレイパネル１００は、発光領域としての放電空間１０１を介して互いに対向配置された背面基板２００と、前面基板３００と、封着部４００と、接続部５００と、などを備えている。
【００１５】
背面基板２００は、長方形状の平面ガラス板であり、図５に示すように、その内面領域が長手方向に沿って二分割され、幅広の放電空間形成領域２０１と、幅狭のアドレス電極引出部形成領域２０２と、が形成されている。背面基板２００の放電空間形成領域２０１は、放電空間１０１が形成される領域であり、その外周縁部には後述する封着部４００が形成される。そして、この放電空間形成領域２０１内には、列電極としての複数のアドレス電極２１０と、アドレス電極保護層２２０と、隔壁２３０と、赤（Ｒ）、緑（Ｇ）、青（Ｂ）の３原色の蛍光体層（２４０Ｒ,２４０Ｇ,２４０Ｂ）と、などが配設されている。一方、背面基板２００のアドレス電極引出部形成領域２０２は、背面基板２００の長手方向と直交する方向の一端側に形成された幅狭の長手状の領域である。このアドレス電極引出部形成領域２０２には、列電極引出部としてのアドレス電極引出部２５０と、共通電極引出部２６０と、図示しないアドレス電極引出部用配線板と、図示しない共通電極引出部用配線板と、などが配設されている。また、背面基板２００は、ガス排気用・不活性ガス導入用の図示しない孔および排気管を備えている。なお、以下において、背面基板２００の長手方向を行方向と適宜称し、背面基板２００の長手方向と直交する方向を列方向と適宜称して説明する。また、行方向のうち一方向側を右側、他方向側を左側と適宜称し、列方向のうち一方向側を上側、他方向側を下側と適宜称して説明する。
【００１６】
アドレス電極２１０は、図４および図５に示すように、例えばＡｌ（アルミニウム）を主成分とした金属材料からなるストライプ状の複数の電極パターンである。これらアドレス電極２１０は、背面基板２００の内面上に密着して形成され、列方向に沿って平行に一定の間隔で配設されている。そして、アドレス電極２１０のアドレス電極引出部形成領域２０２側における列方向の上側端部は、それぞれ放電空間形成領域２０１の列方向上側まで延長して形成されている。一方、アドレス電極２１０の列方向の下側端部は、それぞれ封着部４００が形成される部位よりも所定の寸法だけ内側まで延長して形成されている。また、行方向の左側最端のアドレス電極２１０は、背面基板２００の行方向左側端部よりも所定の間隔を空けて内側に形成される。これにより、放電空間形成領域２０１の行方向の左側端部には、アドレス電極２１０が形成されない長手状の接続電極形成領域２０３が列方向に沿って形成される。
【００１７】
アドレス電極保護層２２０は、ガラスペーストからなり、アドレス電極２１０を覆うように背面基板２００の内面上における放電空間形成領域２０１の全面に形成されている。隔壁２３０は、例えばアドレス電極保護層２２０と同一成分のガラスペーストで井桁状に形成され、アドレス電極保護層２２０上における接続電極形成領域２０３を除いた放電空間形成領域２０１内に形成されている。この隔壁２３０は、放電空間１０１を井桁状に区画し、これにより複数の矩形状の放電セル２３１が形成される。この複数の放電セル２３１のうち列方向の下側先端に位置する放電セル２３１は、アドレス電極２１０の列方向下側端部よりも僅かに内側に形成されている。赤（Ｒ）、緑（Ｇ）、青（Ｂ）の３原色の蛍光体層（２４０Ｒ,２４０Ｇ,２４０Ｂ）は、これら複数の放電セル２３１の内部に順に形成される。そして、蛍光体層（２４０Ｒ,２４０Ｇ,２４０Ｂ）は、それぞれの放電セル２３１で発生した紫外光により励起され、赤（Ｒ）、緑（Ｇ）、青（Ｂ）の３原色の可視光を発光する。
【００１８】
アドレス電極引出部２５０は、アドレス電極引出部形成領域２０２における背面基板２００上に形成される電極端子部であり、それぞれアドレス電極２１０の列方向の上側端部がアドレス電極引出部形成領域２０２の列方向の上側端部まで延長して形成されている。このアドレス電極引出部２５０には、図示しないアドレス電極引出部用配線板が圧着され、さらにアドレス電極引出部用配線板には図示しない列電極駆動部が接続されている。そして、列電極駆動部を適宜制御することによりアドレス電極引出部用配線板を介して、アドレス電極引出部２５０からアドレス電極２１０へと各ライン毎に電圧パルスが印加される。なお、このアドレス電極引出部２５０の列方向の長さは、それぞれアドレス電極引出部用配線板が圧着できる程度の長さを有していれば任意である。また、このアドレス電極引出部２５０の列方向の長さにより、放電空間形成領域２０１およびアドレス電極引出部形成領域２０２の背面基板２００内面上を占める割合が決定される。
【００１９】
共通電極引出部２６０は、背面基板２００上におけるアドレス電極引出部形成領域２０２の行方向左側かつ接続電極形成領域２０３の列方向上側に形成され、後述する前面基板３００の接続電極を介して共通電極に電圧パルスを印加するための電極端子部である。この共通電極引出部２６０は、列方向に対して平行に形成され、アドレス電極引出部形成領域２０２の列方向における上側端部から下側端部までに亘り形成される。そして、共通電極引出部２６０には、図示しない共通電極引出部用配線板が圧着され、さらに共通電極引出部用配線板には図示しない共通電極駆動部が接続される。そして、共通電極駆動部を適宜制御することにより順に共通電極引出部用配線板、共通電極引出部２６０、後述する接続電極３３０、を経由して共通電極３２２へと各ライン毎に電圧パルスが印加される。なお、この共通電極引出部２６０の列方向の長さは、それぞれ共通電極引出部用配線板が圧着できる程度の長さを有していれば任意である。
【００２０】
前面基板３００は、長方形状の平面ガラス板であり、図６に示すように、その内面領域が列方向に沿って二分割され、幅広の放電空間形成領域３０１と、幅狭の走査電極引出部形成領域３０２と、が形成されている。前面基板３００の放電空間形成領域３０１は、放電空間１０１が形成される領域であり、その外周縁部には後述する封着部４００が形成される。そして、この放電空間形成領域３０１内には、複数の透明電極３１０と、バス電極部としての複数のバス電極対３２０と、接続電極３３０と、複数のブラックストライプ３４０と、誘電体層３５０と、保護層３６０と、などが設けられている。一方、前面基板３００の走査電極引出部形成領域３０２は、前面基板３００の行方向の一端側に形成された幅狭の長手状の領域である。この走査電極引出部形成領域３０２には、走査電極引出部３７０と、図示しない走査電極引出部用配線板と、などが配設されている。
【００２１】
複数の透明電極３１０は、ＩＴＯ（Ｉｎｄｉｕｍ Ｔｉｎ Ｏｘｉｄｅ）などの透明導電膜でそれぞれ略Ｔ字形状に形成されている。この透明電極３１０は、１つの放電セル２３１に２つの透明電極３１０が対応する状態で配置され、前面基板３００上に一対ずつ設けられる。
【００２２】
複数のバス電極対３２０は、図４および図６に示すように、一対の走査電極３２１および共通電極３２２から構成されており、それぞれ行方向に対して平行に一定の間隔で配列されている。これら走査電極３２１および共通電極３２２は、上側から下側へ順に共通電極、走査電極、走査電極、共通電極、…を繰り返した状態で配列されている。
【００２３】
走査電極３２１は、例えばＡｇ（銀）を主成分とした金属材料からなる、所定の線幅を有したストライプ状の複数の電極パターンである。これら走査電極３２１は、前面基板３００の内面上に密着して形成され、行方向に沿って平行に一定の間隔で配設されている。そして、走査電極３２１は、一対の透明電極３１０のうち片方の透明電極３１０の一端部に積層した状態で接続され、透明電極３１０のそれぞれに個別に電圧パルスを導入する。走査電極３２１の行方向右側の端部は、放電空間形成領域３０１の行方向の右側端部までそれぞれ延長して形成されている。一方、走査電極３２１の行方向の左側端部は、背面基板２００における複数の放電セル２３１のうち行方向の左側先端に位置する放電セル２３１と対応する位置まで延長して形成されている。
【００２４】
共通電極３２２は、走査電極３２１と同様に例えばＡｇ（銀）を主成分とした金属材料からなり、所定の線幅を有したストライプ状の複数の電極パターンである。これら共通電極３２２は、前面基板３００の内面上に密着して形成され、行方向に沿って平行に一定の間隔で配設されている。そして、共通電極３２２は、一対の透明電極３１０のうち他方の透明電極３１０の一端部に積層した状態で接続され、全ラインにおける前記他方の透明電極３１０のそれぞれに共通の電圧パルスを導入する。共通電極３２２の行方向右側の端部は、背面基板２００における複数の放電セル２３１のうち行方向の右側先端に位置する放電セル２３１と対応する位置まで延長して形成されている。一方、共通電極３２２の行方向の左側端部は、それぞれ封着部４００が形成される部位よりも所定の寸法だけ内側まで延長して形成されている。
【００２５】
接続電極３３０は、走査電極３２１および共通電極３２２と同様に例えばＡｇ（銀）を主成分とした金属材料からなり、所定の線幅を有したストライプ状の電極である。この接続電極３３０は、前面基板３００上の放電空間形成領域３０１内において放電空間形成領域３０１の列方向両端部間に亘って列方向に沿って延びており、背面基板２００における共通電極引出部２６０と対向して形成されている。そして、接続電極３３０は、共通電極３２２の行方向の左側端部のそれぞれと接続され、共通電極引出部２６０および後述する接続部５００を介して共通電極３２２の全てのラインに共通の電圧パルスを導入する。
【００２６】
複数のブラックストライプ３４０は、黒色無機顔料などの可視光吸収性材料からなり、外光の反射により表示のコントラストが悪化することを防ぐために設けられる。これらブラックストライプ３４０は、走査電極３２１と走査電極３２１とで挟まれた空隙および共通電極３２２と共通電極３２２とで挟まれた空隙に形成される。なお、ブラックストライプ３４０を形成する位置は、透明電極３１０が形成される位置により決定される。
【００２７】
誘電体層３５０は、例えばガラスペーストからなり、前面基板３００内面側に設けられた複数の透明電極３１０、複数のバス電極対３２０、接続電極３３０、および複数のブラックストライプ３４０を覆うように、前面基板３００内面上の放電空間形成領域３０１の全領域に亘り設けられる。保護層３６０は、ＭｇＯ（酸化マグネシウム）などにより、誘電体層３５０上の全面に形成され、誘電体層３５０を保護する。
【００２８】
複数の走査電極引出部３７０は、前面基板３００上の走査電極引出部形成領域３０２に配設され、走査電極３２１の行方向の右側端部のそれぞれに接続されている。この走査電極引出部３７０は、走査電極３２１に電圧パルスを印加するための電極端子部であり、走査電極３２１における行方向の右側端部から行方向に導出されて所定の本数毎に特定部位に集約するように形成されている。そして、走査電極引出部３７０には、図示しない走査電極引出部用配線板が圧着され、さらに走査電極引出部用配線板には図示しない走査電極駆動部が接続される。そして、走査電極駆動部を適宜制御することにより走査電極引出部用配線板、走査電極引出部３７０、を順に経由して走査電極３２１へと各ライン毎に電圧パルスが印加される。なお、この走査電極引出部３７０の列方向の長さは、それぞれ走査電極引出部用配線板が圧着できる程度の長さを有していれば任意である。
【００２９】
封着部４００は、低融点ガラスペーストからなり、背面基板２００および前面基板３００を封着する。この封着部４００は、背面基板２００内面上の放電空間形成領域２０１の外周縁部と、前面基板３００内面上の放電空間形成領域３０１と、を互いに対向する状態で接続する。そして、封着部４００が背面基板２００および前面基板３００を封着することにより、プラズマディスプレイパネル１００の放電空間１０１内部と外部とが完全に遮断される。
【００３０】
接続部５００は、図７に示すように、例えば半田のような溶融性金属などからなり、共通電極引出部２６０の列方向下側端部と、接続電極３３０の列方向上側端部と、を電気的に接続する。具体的には、接続部５００は、背面基板２００上における共通電極引出部２６０の列方向下側端部が僅かに封着部４００の外側にはみ出した部位に接続される。また、接続部５００は、前面基板３００における接続電極３３０の列方向上側端部側を被覆するように接続される。
【００３１】
（プラズマディスプレイパネルの製造方法）
次に、上述した構成のプラズマディスプレイパネル１の製造方法について説明する。
【００３２】
まず、背面基板２００の製造方法について説明する。予め背面基板２００の内面側を超音波洗浄処理や中性洗剤を用いた水洗処理などにより十分に洗浄しておく。そして、背面基板２００の内面側の全面に、スパッタリング法などにより、複数のアドレス電極２１０と、複数のアドレス電極引出部２５０と、共通電極引出部２６０との材料となるＡｌ電極材料層を形成する。
【００３３】
この後、複数のアドレス電極２１０と、複数のアドレス電極引出部２５０と、共通電極引出部２６０とによる電極パターンはフォトリソグラフィ法により形成する。具体的には、背面基板２００のＡｌ電極材料層の全表面上に、感光性材料のレジスト層をフィルムラミネートなどにより一様に形成する。そして、図５に示すような位置関係の複数のアドレス電極２１０と、複数のアドレス電極引出部２５０と、共通電極引出部２６０との各電極パターンに対応した図示しない電極パターンマスクを用い、背面基板２００内面上に形成されたレジスト層に電極パターンマスク越しにＵＶ光を照射・露光する。レジスト層に対して露光処理を実施した後、レジスト層のうち感光しなかった未硬化の部分を現像液で除去することにより、レジスト層のうち感光して硬化した部分のみが背面基板２００上に残り、所望の電極パターンと対応したレジストパターンが形成される。
【００３４】
そして、前工程で形成したレジストパターンをマスクとして、Ａｌ電極材料層のうちレジストパターンで覆われていない部位をＡｌ用エッチング処理液により除去し、複数のアドレス電極２１０と、複数のアドレス電極引出部２５０と、共通電極引出部２６０と、を形成する。エッチング処理後、レジストパターンをレジスト剥離液により除去することにより、背面基板２００の内面上には複数のアドレス電極２１０と、複数のアドレス電極引出部２５０と、共通電極引出部２６０と、が残る。なお、複数のアドレス電極２１０と、複数のアドレス電極引出部２５０と、は継目無く一体的に形成されている。
【００３５】
この後、背面基板２００内面上における放電空間形成領域２０１の全面に、ダイコータなどによりガラスペーストをアドレス電極２１０の上から塗布し、これを焼成することによりアドレス電極保護層２２０を形成する。そして、このアドレス電極保護層２２０の上からさらにダイコータなどによりガラスペーストを一様に塗布し、サンドブラスト法などにより隔壁２３０を形成する。さらに、隔壁２３０により形成された放電セル２３１のそれぞれの内部に、スクリーン印刷などにより赤（Ｒ）、緑（Ｇ）、青（Ｂ）の３原色の蛍光体ペーストを塗布し、これら蛍光体ペーストを焼成することにより蛍光体層（２４０Ｒ,２４０Ｇ,２４０Ｂ）が形成される。そして、放電空間形成領域２０１の外周端部にガラスペーストからなる封着部４００を形成し、これにより背面基板２００が完成する。
【００３６】
ここで、複数のアドレス電極引出部２５０と、共通電極引出部２６０と、は背面基板２００の列方向上側におけるアドレス電極引出部形成領域２０２に形成されている。このため、背面基板２００の列方向下側には電極引出部などのスペースを設けないことから、背面基板２００の列方向の下側端部近傍まで放電空間形成領域２０１が形成されており、背面基板２００の列方向の下側端部近傍まで隔壁２３０を形成することができる。そして、このアドレス電極引出部形成領域２０２の列方向における幅寸法は、アドレス電極引出部２５０および共通電極引出部２６０の列方向における長さ寸法により決定される。上述のように、アドレス電極引出部２５０および共通電極引出部２６０の列方向における長さ寸法は、図示しないアドレス電極引出部用配線板および共通電極引出部用配線板が取り付け得る長さがあれば十分であるため、アドレス電極引出部形成領域２０２の広さを必要最小限度に留めることができる。このため、背面基板２００の内面側において放電空間形成領域２０１が占める面積を広く確保できる。
【００３７】
また、共通電極引出部２６０は、背面基板２００上におけるアドレス電極引出部形成領域２０２の行方向左側かつ接続電極形成領域２０３の列方向上側において、列方向に沿って平行に形成されている。このため、接続電極形成領域２０３の行方向の幅寸法は、共通電極引出部用配線板を圧着し得る程度の寸法があればよく、背面基板２００の行方向の左側端部近傍まで隔壁２３０を形成することができる。
【００３８】
次に、前面基板３００の製造方法について説明する。予め前面基板３００の内面側を超音波洗浄処理や中性洗剤を用いた水洗処理などにより十分に洗浄しておく。そして、前面基板３００の内面側の全面に、スパッタリング法などにより、複数の透明電極３１０の材料となる図示しない透明電極材料層を形成する。この後、複数の透明電極３１０による電極パターンはフォトリソグラフィ法により形成する。なお、ここでは、フォトリソグラフィ法による透明電極３１０の形成法については、上記したフォトリソグラフィ法と同様であるため説明を省略する。
【００３９】
そして、複数の透明電極３１０の上から前面基板３００の全内面上に、複数のバス電極対３２０と、接続電極３３０と、複数の走査電極引出部３７０との材料となる感光性のＡｇペースト層を印刷法により形成する。さらに、図６に示すような位置関係の複数のバス電極対３２０と、接続電極３３０と、複数の走査電極引出部３７０との各電極パターンに対応した図示しない電極パターンマスクを用い、前面基板３００内面上に形成されたＡｇペースト層に電極パターンマスク越しにＵＶ光を照射・露光する。Ａｇペースト層に対して露光処理を実施した後、Ａｇペースト層のうち感光せずに架橋されなかった部分を現像液で除去することにより、レジスト層のうち感光して架橋した部分のみが背面基板２００上に残り、所望の電極パターンの複数のバス電極対３２０と、接続電極３３０と、複数の走査電極引出部３７０とが形成される。なお、複数の走査電極３２１と、複数の走査電極引出部３７０と、は継目無く一体的に形成され、複数の共通電極３２２と、接続電極３３０と、は継目無く一体的に形成されている。
【００４０】
この後、複数のブラックストライプ３４０を、走査電極３２１と走査電極３２１とで挟まれた空隙および共通電極３２２と共通電極３２２とで挟まれた空隙に形成する。そして、前面基板３００の内面における放電空間形成領域３０１の全面上に、複数の透明電極３１０と、複数のバス電極対３２０と、接続電極３３０と、複数のブラックストライプ３４０と、を被覆するようにダイコータなどによりガラスペーストを塗布し、誘電体層３５０を形成する。さらに、ＭｇＯ（酸化マグネシウム）などによる保護層３６０を、誘電体層３５０上の全面に形成して、前面基板３００が完成する。
【００４１】
ここで、接続電極３３０は、前面基板３００の行方向の左側端部近傍において列方向に沿って平行に形成されており、共通電極３２２の行方向の左側端部のそれぞれと接続されている。このため、前面基板３００の行方向の左側近傍まで広がった放電空間１０１を確保することができる。そして、複数の走査電極引出部３７０は、前面基板３００の行方向右側における走査電極引出部形成領域３０２に形成されている。この走査電極引出部形成領域３０２の行方向における幅寸法は、上述のように、それぞれ走査電極引出部用配線板が圧着できる程度の長さを有していればよく、走査電極引出部形成領域３０２の広さを必要最小限度に留めることができる。このため、前面基板３００の内面側において放電空間形成領域３０１が占める面積を広く確保できる。
【００４２】
そして、背面基板２００および前面基板３００が完成した後、背面基板２００における放電空間形成領域２０１の外周端部に形成された封着部と、前面基板３００内面上の放電空間形成領域３０１と、を互いに対向する状態に位置を合わせる。そして、封着部４００を加熱処理（例えば、約４５０℃）することにより、封着部４００を溶解させ、次に封着部４００を冷却することにより封着部４００を凝固させて背面基板２００および前面基板３００を封着する。そして、図示しない背面基板２００の孔および排気管を介して、放電空間１０１内部の空気を封着部４００が溶解しない程度の温度下（例えば、約３５０℃）で真空ポンプなどにより排気する。排気終了後、図示しない背面基板２００の孔および排気管を介して、放電空間１０１内部に例えばＮｅ−Ｘｅ（ネオン−キセノン）などの混合不活性ガスからなる放電ガスを導入し、放電空間１０１内部が所定の圧力（例えば、約５００Ｔｏｒｒ）となるように調整する。そして、放電ガス導入後、排気管を封止することによりパネル化が終了する。
【００４３】
パネル化後、図７に示すように、背面基板２００上における共通電極引出部２６０の列方向下側端部が僅かに封着部４００の外側にはみ出した部位と、前面基板３００における接続電極３３０の列方向上側端部側と、を半田のような溶融性金属などにより接続し、放電空間１０１の外部に接続部５００を形成する。これにより、共通電極引出部２６０と、接続電極３３０と、複数の共通電極３２２と、が電気的に接続された状態となる。そして、背面基板２００の列方向上側におけるアドレス電極引出部形成領域２０２において、アドレス電極引出部２５０に図示しないアドレス電極引出部用配線板を圧着し、さらにアドレス電極引出部用配線板に図示しない列電極駆動部を接続する。また、背面基板２００のアドレス電極引出部形成領域２０２においては、共通電極引出部２６０に図示しない共通電極引出部用配線板を圧着し、さらに共通電極引出部用配線板に図示しない共通電極駆動部を接続する。一方、前面基板３００の行方向右側における走査電極引出部形成領域３０２において、走査電極引出部３７０に図示しない走査電極引出部用配線板が圧着し、さらに走査電極引出部用配線板に図示しない走査電極駆動部を接続する。以上の工程を経ることにより、プラズマディスプレイパネル１００が完成する。
【００４４】
（第１の実施の形態の作用効果）
上述したように、上記実施の形態では、背面基板２００および前面基板３００が放電空間１０１を挟んで対向配置されたプラズマディスプレイパネル１００は、前面基板３００の内面側に行方向に延び平行に配列された走査電極３２１と共通電極３２２とからなる複数のバス電極対３２０を備えている。そして、複数の走査電極３２１の行方向右側端部には、前面基板３００上の走査電極引出部形成領域３０２に配設された複数の走査電極引出部３７０がそれぞれ接続されている。また、共通電極３２２の行方向の左側端部には、前面基板３００上の放電空間形成領域３０１内において列方向に沿って平行に設けられた接続電極３３０がそれぞれ接続されている。そして、接続電極３３０の列方向上側端部は、背面基板２００におけるアドレス電極引出部形成領域２０２に接続電極３３０と略並行に形成された共通電極引出部２６０と接続されている。
【００４５】
このため、複数の共通電極３２２の行方向左側端部を前面基板３００の行方向の左側端部近傍までそれぞれ延長することができるので、前面基板３００の行方向の左側端部近傍まで広がった放電空間１０１を確保することができる。また、前面基板３００の行方向右側端部の走査電極引出部形成領域３０２に複数の走査電極引出部３７０が形成されているので、走査電極引出部形成領域３０２の広さを必要最小限度に留めれば、前面基板３００の内面側において放電空間形成領域３０１が占める面積を広く確保できる。したがって、前面基板３００の列方向両端部、行方向左側端部の近傍まで画像表示できるプラズマディスプレイパネル１００が実現でき、さらにはプラズマディスプレイパネル１００のコンパクト化が実施できる。
【００４６】
また、複数の共通電極３２２の端部のそれぞれを接続電極３３０で一連で接続しているため、従来の共通電極のそれぞれに個別の電圧パルスを印加する構成において問題となっていた表示ライン間での輝度差の発生を防ぐことができる。さらに、走査電極引出部３７０は前面基板３００の行方向における右側に設けられ、かつ接続電極３３０は前面基板３００の行方向左側に設けられているため、隣合う走査電極引出部３７０同士の間隔を十分に広く確保できる。したがって、隣合う走査電極引出部３７０間でのショートを防ぐことができる。また、走査電極引出部３７０と、走査電極３２１と、共通電極３２２と、接続電極３３０と、をフォトリソグラフィ法などにより背面基板２００上に同時形成することが可能であるため、作業効率を向上することができる。
【００４７】
そして、背面基板２００は、その内面側の放電空間形成領域２０１において、前面基板３００のバス電極対３２０と交差する列方向に平行に延びたアドレス電極２１０を複数備えている。また、アドレス電極２１０の列方向上側端部は、背面基板２００のアドレス電極引出部形成領域２０２に配設されたアドレス電極引出部２５０とそれぞれ接続されている。さらに、共通電極引出部２６０は、背面基板２００上におけるアドレス電極引出部形成領域２０２の行方向左側かつ接続電極形成領域２０３の列方向上側に、アドレス電極引出部２５０と並列して設けられている。また、共通電極引出部２６０の列方向下側端部は、前面基板３００における接続電極３３０の列方向上側端部に導電性の接続部５００を介して電気的に接続され、複数の共通電極３２２に共通の電圧パルスを印加する。
【００４８】
このため、複数のアドレス電極２１０の列方向下側端部を背面基板２００の列方向の下側端部近傍までそれぞれ延長することができるので、背面基板２００の列方向の下側端部近傍まで広がった放電空間１０１を確保することができる。また、背面基板２００の列方向上側端部のアドレス電極引出部形成領域２０２に、共通電極引出部２６０および複数のアドレス電極引出部２５０がそれぞれ列方向に平行に形成されているので、従来の共通電極３２２のための引出電極部を設けるスペース、すなわち、接続電極形成領域２０３を狭小に形成でき、かつ、アドレス電極引出部形成領域２０２の広さを必要最小限度に留めれば、背面基板２００の内面側において放電空間形成領域２０１が占める面積を広く確保できる。したがって、このような背面基板２００および前面基板３００とを組み合わせたプラズマディスプレイパネル１００は、プラズマディスプレイパネル１００の行方向左側端部の近傍および列方向下側端部の近傍まで画像表示でき、さらにはプラズマディスプレイパネル１００のコンパクト化が実現できる。
【００４９】
また、共通電極引出部２６０が背面基板２００上に形成される構成であるので、共通電極引出部２６０とアドレス電極２１０とアドレス電極引出部２５０とをフォトリソグラフィ法などにより背面基板２００上に同時形成することが可能である。このため、作業効率を向上することができる。
【００５０】
そして、背面基板２００上における共通電極引出部２６０の列方向下側端部が僅かに封着部４００の外側にはみ出した部位と、前面基板３００における接続電極３３０の列方向上側端部側と、を半田のような溶融性金属などにより接続し、放電空間１０１の外部に接続部５００を形成する。これにより、共通電極引出部２６０と、接続電極３３０と、複数の共通電極３２２と、が電気的に接続された状態となる。このため、簡易な構成で確実に共通電極３２２へ電圧パルスを印加することができる。また、背面基板２００および前面基板３００の封着後に放電空間１０１の外側から接続部５００を形成するので、接続部５００の形成作業が簡単である。
【００５１】
また、バス電極対３２０における走査電極３２１および共通電極３２２のそれぞれは、透明電極３１０に積層された状態で、前面基板３００の内面上に行方向に平行に形成されている。そして、複数の走査電極３２１が走査電極引出部３７０とそれぞれ接続され、共通電極３２２が接続電極３３０とそれぞれ接続されている。このため、比較的に導電性の劣る透明電極３１０のそれぞれに対して、導電性に優れた走査電極３２１および共通電極３２２からなるバス電極対３２０により、効率良く電圧パルスを印加することができる。また、バス電極対３２０を走査電極３２１と共通電極３２２とに機能を分担し、これら走査電極３２１および共通電極３２２に適切な電圧パルスを印加することにより、プラズマディスプレイパネル１００は効果的な画像表示が可能となる。
【００５２】
そして、アドレス電極引出部２５０にはアドレス電極引出部用配線板が圧着され、さらにアドレス電極引出部用配線板には列電極駆動部が接続されている。共通電極引出部２６０には共通電極引出部用配線板が圧着され、さらに共通電極引出部用配線板には共通電極駆動部が接続されている。走査電極引出部３７０には走査電極引出部用配線板が圧着され、さらに走査電極引出部用配線板には走査電極駆動部が接続されている。すなわち、上記配線板および電極駆動部のそれぞれはプラズマディスプレイパネル１００の行方向右側端部および列方向上側端部に設けられる構成であるため、プラズマディスプレイパネル１００の行方向左側端部および列方向下側端部は上記配線板および電極駆動部が設けられない。このため、プラズマディスプレイパネル１００は、その行方向左側端部および列方向下側端部の近傍まで放電空間１０１を広げることができるので、幅広い有効表示領域を確保できる。
【００５３】
〔第２の実施の形態〕
次に、本発明における第２の実施の形態を図８および図９に基づいて説明する。
【００５４】
（第２の実施の形態の構成）
図８は、本発明の第２の実施の形態における背面基板を示した立面図である。図９は、接続部を示した断面図である。この図８および図９に示す第２の実施の形態は、図３ないし図７に示す第１の実施の形態と、接続部５００および共通電極引出部２６０においてのみ構成が異なる。このため、第１の実施の形態と同一の構成については、同一の符号を付して説明を省略または簡略化する。
【００５５】
共通電極引出部２６０は、図８に示すように、背面基板２００上におけるアドレス電極引出部形成領域２０２の行方向左側かつ接続電極形成領域２０３の列方向上側に列方向に対して平行に形成され、アドレス電極引出部形成領域２０２の列方向における上側端部から下側端部までに亘り形成される。この共通電極引出部２６０は、前面基板３００および背面基板２００を所定の位置関係で貼り合せた際に、前面基板３００における接続電極３３０と対向する位置に配設される。そして、共通電極引出部２６０の列方向下側端部には、延長部２６１が一体的に形成されている。延長部２６１は、共通電極引出部２６０の列方向下側端部から封着部４００が形成される部位を越えて放電空間形成領域２０１内の所定の位置まで形成されている。なお、背面基板２００の内面上における延長部２６１が形成される部位にはアドレス電極保護層２２０が設けられず、延長部２６１が剥き出しの状態となっている。
【００５６】
接続部５００は、例えば封着部４００と同様の低融点ガラスペーストに導電性金属材料を混入した導電性ガラスペーストや、Ａｇペーストなどの金属ペーストなどからなる。この接続部５００は、図９に示すように、放電空間１０１内側において延長部２６１の列方向下側端部と、接続電極３３０の列方向上側の一部と、を電気的に接続する。そして、接続部５００は、その一部位が封着部４００の内周側に当接して設けられている。
【００５７】
（プラズマディスプレイパネルの製造方法）
予め、上記第１の実施の形態と同様の工程を経て背面基板２００および前面基板３００を完成させておく。この後、背面基板２００における放電空間形成領域２０１の外周端部に形成された封着部と、前面基板３００内面上の放電空間形成領域３０１と、を互いに対向する状態に位置を合わせる。このとき、背面基板２００の内面上には、延長部２６１が図８に示したような位置に共通電極引出部２６０と一体的に形成された状態となっている。そして、この延長部２６１の列方向下側端部上には、例えば、低融点ガラスペーストに導電性金属材料を混入した導電性ガラスペーストや、Ａｇペーストなどの金属ペーストなどからなる接続部５００を形成し、図９に示すように、延長部２６１の列方向下側端部と前面基板３００における接続電極３３０の列方向上側端部側とが接触した状態にしておく。また、封着部４００と共通電極引出部２６０の列方向下側端部との境界において、封着部４００の外周端が直線的に形成された状態となっている。この後、封着部４００を加熱処理（例えば、約４５０℃）することにより、封着部４００を溶解させ、次に封着部４００を冷却することにより封着部４００を凝固させて背面基板２００および前面基板３００を封着する。この際、接続部５００も加熱処理および冷却処理を経ることにより固着し、延長部２６１の列方向下側端部と接続電極３３０の列方向上側端部側とを電気的に接続する。そして、この後上記第１の実施の形態と同様の工程を経ることにより、プラズマディスプレイパネル１００が完成する。
【００５８】
（第２の実施の形態の作用効果）
上記第２の実施の形態では、上記第１の実施の形態と同様の作用効果を奏することができる他に、以下の作用効果を奏することができる。すなわち、第２の実施の形態では、共通電極引出部２６０は、その列方向下側端部から放電空間形成領域２０１内の所定の位置まで延長した延長部２６１が一体的に形成されている。そして、接続部５００は、放電空間１０１内側において延長部２６１の列方向下側端部と、接続電極３３０の列方向上側の一部と、を電気的に接続する。このため、封着部４００と共通電極引出部２６０の列方向下側端部との境界において、封着部４００の外周端が直線的に形成されているので、共通電極引出部用配線板を封着部４００の直線的な外周端部に隙間なく当接することができる。したがって、共通電極引出部２６０の一部が外気に曝されることによるマイグレーションの発生を防ぐことができる。
【００５９】
背面基板２００と前面基板３００とを完成させた後、背面基板２００と前面基板３００とを所定の位置関係で対向させ、封着部４００を加熱処理（例えば、約４５０℃）および冷却処理することにより背面基板２００および前面基板３００を封着する。この際、接続部５００も加熱処理および冷却処理を経ることにより同時に固着し、延長部２６１の列方向下側端部と接続電極３３０の列方向上側端部側とを電気的に接続する。このため、封着部４００の封着工程がそのまま接続部５００の接続工程として利用することが可能であるため、第１の実施の形態に比較して接続部５００の接続工程を省略して簡易にプラズマディスプレイパネル１００を製造することができる。
【００６０】
〔第３の実施の形態〕
次に、本発明における第３の実施の形態を図１０に基づいて説明する。
【００６１】
（第３の実施の形態の構成）
図１０は、本発明の第３の実施の形態に係るマルチパネル型の画像表示装置を示す概略構成図である。この図１０に示す第３の実施の形態は、図３ないし図７に示す第１の実施の形態に係るプラズマディスプレイパネルを４個組み合わせた構成となっている。このため、第１の実施の形態と同一の構成については、同一の符号を付して説明を省略または簡略化する。
【００６２】
図１０において、６００は画像表示装置であり、この画像表示装置６００は、上記第１の実施の形態におけるプラズマディスプレイパネル１００を４個縦横に配置して、１つのマルチパネル型の画像表示装置として構成したものである。この画像表示装置６００に用いられるプラズマディスプレイパネル１００は、それぞれの接続電極３３０および共通電極引出部２６０同士が互いに近接された状態となるよう、適宜接続電極３３０および共通電極引出部２６０などの配置が調整されている。
【００６３】
画像表示装置６００において、プラズマディスプレイパネル１のそれぞれに有効表示領域と、非表示領域とが形成されている。有効表示領域は、プラズマディスプレイパネル１のそれぞれにおける放電空間１０１であり、背面基板２００における接続電極形成領域２０３以外の封着部４００の内周面に囲まれた領域となっている。非表示領域は、封着部４００が形成されている領域と、背面基板２００におけるアドレス電極引出部形成領域２０２および接続電極形成領域２０３と、前面基板３００における走査電極引出部形成領域３０２と、などの領域により形成されている。そして、画像表示装置６００全体として、この非表示領域が組み合わされることにより、表示画面中に所定の幅Ｄ１およびＤ２を有した十字形状の目地が形成される。この目地のうち行方向の目地における幅寸法Ｄ１は、封着部４００の幅寸法を２倍にした値にほぼ等しい。また、目地のうち列方向の目地における幅寸法Ｄ２は、封着部４００の幅寸法を２倍にした値と、接続電極形成領域２０３の幅寸法を２倍にした値と、を加算した値にほぼ等しい。
【００６４】
（第３の実施の形態の作用効果）
上記第３の実施の形態では、上記第１の実施の形態と同様の作用効果を奏することができる他に、以下の作用効果を奏することができる。すなわち、第３の実施の形態では、画像表示装置６００は、第１の実施の形態におけるプラズマディスプレイパネル１００を４個縦横に配置して、１つの表示装置として構成されている。そして、画像表示装置６００全体として、表示画面中には、所定の幅Ｄ１およびＤ２を有した十字形状の目地が形成されている。この目地のうち行方向の目地における幅寸法Ｄ１は、封着部４００の幅寸法を２倍にした値にほぼ等しい。また、目地のうち列方向の目地における幅寸法Ｄ２は、封着部４００の幅寸法を２倍にした値と、接続電極形成領域２０３の幅寸法を２倍にした値と、を加算した値にほぼ等しい。このため、画像表示装置６００は、従来の目地部分に引出電極を設ける構成と比較して、目地の幅Ｄ１およびＤ２の寸法を大幅に縮小することができる。したがって、画像表示装置６００は、表示画面中に占める目地の領域が少ないため、良好な画像表示ができる。
【００６５】
〔実施の形態の変形〕
なお、本発明は上述した実施の形態に限定されるものではなく、本発明の目的を達成できる範囲で以下に示される変形をも含むものである。
【００６６】
本実施の形態において、接続電極３３０は、前面基板３００上の放電空間形成領域３０１内において放電空間形成領域３０１の列方向両端部間に亘って列方向に沿って延びて形成される構成としたが、これに限らない。すなわち、例えば図１１に示すように、接続電極３３０は、前面基板３００の共通電極引出部２６０と対応する側の端面部まで延びた接続電極延長部３３１を備える。そして、接続部５００は、封着部４００の外側における前面基板３００の前記端面部に接して設けられ、接続電極３３０と共通電極引出部２６０とを接続する構成としてもよい。このような構成の場合、封着部４００が放電空間形成領域２０１,３０１の外部にはみ出して形成され接続電極３３０の列方向上側端部が封着部４００に覆い隠されてしまったとしても、接続電極延長部３３１が前面基板３００の端面部に形成されているので、確実に接続電極３３０と共通電極引出部２６０との導通を図ることができる。なお、接続電極延長部３３１は、前面基板３００の端面上に形成される構成に限らず、前面基板３００の列方向上側端部から外側に突出して形成されるなどの構成としてもよい。
【００６７】
そして、背面基板２００において、アドレス電極２１０は、図５に示すようにアドレス電極２１０のアドレス電極引出部形成領域２０２側における列方向の上側端部はそれぞれ放電空間形成領域２０１の列方向上側まで延長し、アドレス電極２１０の列方向の下側端部はそれぞれ封着部４００が形成される部位よりも所定の寸法だけ内側まで延長して形成される構成としたが、これに限らない。
【００６８】
すなわち、例えば、図１２に示すように、アドレス電極２１０は、互いに隣合うアドレス電極２１０のうち一方を背面基板２００の列方向上側端部から列方向下側端部より所定間隔だけ内側まで形成する。そして、他方を背面基板２００の列方向下側端部から列方向上側端部より所定間隔だけ内側まで形成し、これらのアドレス電極２１０を交互に配列する構成としてもよい。また、例えば、図１３に示すように、アドレス電極２１０は、背面基板２００の列方向上側端部から列方向下側端部まで延びた電極を列方向中央部において分断した状態に形成する構成としてもよい。このような構成において、共通電極引出部２６０が背面基板２００の行方向左側に設けられている場合はプラズマディスプレイパネル１００の行方向左側近傍まで画像表示でき、共通電極引出部２６０が背面基板２００の行方向右側に設けられている場合は、プラズマディスプレイパネル１００の行方向右側近傍まで画像表示できる。
【００６９】
また、アドレス電極２１０とアドレス電極引出部２５０とはそれぞれ別部材にて形成する構成としても良く、別部材のアドレス電極引出部２５０をアドレス電極２１０の端部に接続して背面基板２００上に取り付ける構成でもよい。同様に、走査電極３２１と走査電極引出部３７０とはそれぞれ別部材にて形成する構成としても良く、別部材の走査電極引出部３７０を走査電極３２１の端部に接続して前面基板３００上に取り付ける構成でもよい。さらに、走査電極引出部３７０は、その行方向の右側端部から行方向に導出されて所定の本数毎に特定部位に集約するように形成される構成だけでなく、それぞれ行方向に対して平行に形成される構成としてもよい。
【００７０】
そして、接続電極３３０と共通電極３２２のそれぞれの端部とは一体的に連続して形成されるだけでなく、別部材の接続電極３３０を共通電極３２２のぞれぞれの端部に取り付ける構成としてもよい。また、共通電極引出部２６０は、背面基板２００上に設けられる構成としたが、これに限らず前面基板３００の端部から端子として外側に突出して形成されるような構成としてもよい。
【００７１】
さらに、バス電極対３２０において、走査電極３２１および共通電極３２２の配置状態は、順に走査電極、共通電極、共通電極、走査電極…と配列される構成に限らず、順に共通電極、走査電極、共通電極、走査電極…などのように走査電極と共通電極を交互に配列する構成や、順に共通電極、走査電極、走査電極、共通電極…などとして走査電極と共通電極との順番を入れ違える構成としてもよい。
【００７２】
また、透明電極３１０は、略Ｔ字形状に形成される構成としたがこれに限らず、例えば、走査電極３２１および共通電極３２２のそれぞれと平行にストライプ状に形成される構成などとしてもよい。
【００７３】
そして、第２の実施の形態において、背面基板２００の内面上における延長部２６１が形成される部位にはアドレス電極保護層２２０が設けられず、延長部２６１が剥き出しの状態となる構成としたが、これに限らない。すなわち、例えば、延長部２６１の大部分がアドレス電極保護層２２０により覆われ、接続部５００が設けられる部分のみ剥き出しの状態となるなど、接続電極３３０と延長部２６１とを接続できるような構成であればいずれでも構わない。また、延長部２６１は、共通電極引出部２６０の列方向下側端部から封着部４００が形成される部位を越えて放電空間形成領域２０１内の所定の位置まで形成される構成としたが、延長部２６１の列方向の長さは図８に示すものに限らず、放電空間形成領域２０１の列方向下側端部まで延長することができる。
【００７４】
さらに、第２の実施の形態において、接続部５００は、その一部位が封着部４００の内周側に当接して設けられる構成としたが、これに限らず、放電空間１０１の内部において接続電極３３０と延長部２６１とを接続できるような位置であればいずれでも構わない。また、接続部５００は、放電空間１０１の内部において一箇所に限らず複数箇所に設けられてもよい。そして、第２の実施の形態における延長部２６１および接続部５００の構成に加え、第１の実施の形態における共通電極引出部２６０および接続部５００の構成を組み合わせたとしても構わない。
【００７５】
また、第３の実施の形態において、マルチパネル型の画像表示装置６００は、図３ないし図７に示す第１の実施の形態に係るプラズマディスプレイパネル１００を４個組み合わせた構成としたが、これに限らない。すなわち、図８および図９に示す第２の実施の形態に係るプラズマディスプレイパネル１００で画像表示装置６００を構成してもよい。また、プラズマディスプレイパネル１００の個数も４個に限らず、例えば２個などその数は任意である。例えば、画像表示装置を、２個のプラズマディスプレイパネル１００により構成する場合は、接続電極３３０が形成された側のプラズマディスプレイパネル１００の端部同士を突き合わせるように組み合わせてもよく、また、これらの端部同士が一直線上に配置されるような構成としてもよい。さらに、画像表示装置は、２つのプラズマディスプレイパネル１００を接続電極３３０が形成された側の端部同士突き合わせるように組み合わせ、このようなパネルを同一平面上において、あるいは屏風状に複数組み合わせる構成としてもよい。
【００７６】
〔実施の形態の作用効果〕
上述したように、上記実施の形態では、背面基板２００および前面基板３００が放電空間１０１を挟んで対向配置されたプラズマディスプレイパネル１００は、前面基板３００の内面側に行方向に延び平行に配列された走査電極３２１と共通電極３２２とからなる複数のバス電極対３２０を備えている。そして、複数の走査電極３２１の行方向右側端部には、前面基板３００上の走査電極引出部形成領域３０２に配設された複数の走査電極引出部３７０がそれぞれ接続されている。また、共通電極３２２の行方向の左側端部には、前面基板３００上の放電空間形成領域３０１内において列方向に沿って平行に設けられた接続電極３３０がそれぞれ接続されている。そして、接続電極３３０の列方向上側端部は、背面基板２００におけるアドレス電極引出部形成領域２０２に接続電極３３０と略並行に形成された共通電極引出部２６０と接続されている。このため、複数の共通電極３２２の行方向左側端部を前面基板３００の行方向の左側端部近傍までそれぞれ延長することができるので、前面基板３００の行方向の左側端部近傍まで広がった放電空間１０１を確保することができる。したがって、前面基板３００の列方向両端部、行方向左側端部の近傍まで画像表示できるプラズマディスプレイパネル１００が実現でき、さらにはプラズマディスプレイパネル１００のコンパクト化が実施できる。
【図面の簡単な説明】
【００７７】
【図１】従来のプラズマディスプレイパネルの電極構造を示した模式図である。
【図２】従来のマルチパネル型画像表示装置を示した斜視図である。
【図３】本発明の第１の実施の形態に係るプラズマディスプレイパネルを示した分解斜視図である。
【図４】前記実施の形態におけるプラズマディスプレイパネルを示した立面図である。
【図５】前記実施の形態における背面基板を示した立面図である。
【図６】前記実施の形態における前面基板を示した立面図である。
【図７】前記実施の形態における接続部を示した断面図である。
【図８】本発明の第２の実施の形態における背面基板を示した立面図である。
【図９】前記実施の形態における接続部を示した断面図である。
【図１０】本発明の第３の実施の形態に係るマルチパネル型の画像表示装置を示した概略構成図である。
【図１１】本発明の変形例を示した断面図である。
【図１２】本発明の変形例を示した立面図である。
【図１３】本発明の変形例を示した立面図である。
【符号の説明】
【００７８】
１００ プラズマディスプレイパネル
１０１ 放電空間
２００ 背面基板（一対の基板のうちの他方の基板）
２１０ アドレス電極（列電極）
２５０ アドレス電極引出部（列電極引出部）
２６０ 共通電極引出部
２６１ 延長部
３００ 前面基板（一対の基板のうちの一方の基板）
３１０ 透明電極
３２０ バス電極対（バス電極部）
３２１ 走査電極
３２２ 共通電極
３３０ 接続電極
３７０ 走査電極引出部
５００ 接続部
６００ 画像表示装置
【図１】
2006164744.tif 000003
【図２】
2006164744.tif 000004
【図３】
2006164744.tif 000005
【図４】
2006164744.tif 000006
【図５】
2006164744.tif 000007
【図６】
2006164744.tif 000008
【図７】
2006164744.tif 000009
【図８】
2006164744.tif 000010
【図９】
2006164744.tif 000011
【図１０】
2006164744.tif 000012
【図１１】
2006164744.tif 000013
【図１２】
2006164744.tif 000014
【図１３】
2006164744.tif 000015